(57)【要約】【課題】硬貨精査補助ユニットが取り込める硬貨の枚数を考慮した上で、精査が完了するまでの時間を短縮する現金取扱装置、硬貨放出方法及び硬貨放出プログラムを提供する。【解決手段】出金口３２から入金口３１まで硬貨を搬送する硬貨精査補助ユニット２が装着された現金取扱装置（釣銭機１）は、硬貨精査補助ユニット２の最大収納可能枚数以下の範囲で、硬貨収納庫６２から一度に２以上の金種の硬貨を出金口３２に供給する硬貨回収部（出金繰出部５６，回収枚数判定部１１２）を備える。【選択図】図５
2015125607.tif 000002
【特許請求の範囲】
【請求項１】
硬貨が投入される入金口と、前記投入された投入硬貨が金種毎に収納される硬貨収納庫と、前記収納された硬貨が放出される出金口と、前記投入硬貨を精査して金種毎の枚数を数える硬貨精査部とを備える現金取扱装置であって、
前記出金口から前記入金口まで放出硬貨を搬送する硬貨精査補助ユニットが装着され、
前記硬貨精査補助ユニットの最大収納可能枚数以下の範囲で、前記硬貨収納庫から一度に２以上の金種の硬貨を前記出金口に供給する硬貨回収部を備えることを特徴とする現金取扱装置。
【請求項２】
前記硬貨回収部は、
前記投入硬貨の金種毎の枚数及び前記出金口から放出された放出硬貨の金種毎の枚数を含む管理有高情報から前記硬貨収納庫内に現在収納されている硬貨の金種毎の枚数情報を取得し、
前記硬貨の金種毎の枚数情報を組み合わせて、前記最大収納可能枚数以下の範囲で、前記硬貨収納庫から一度に２以上の金種の硬貨を前記出金口に供給する
ことを特徴とする請求項１に記載された現金取扱装置。
【請求項３】
前記硬貨回収部は、
前記管理有高情報から取得したいずれか１つの金種の枚数情報と前記金種とは別金種の枚数情報とを組み合わせた合計枚数が前記最大収納可能枚数以下であれば、前記金種の硬貨収納庫及び前記別金種の硬貨収納庫から一度に２以上の金種の硬貨を前記出金口に供給する
ことを特徴とする請求項２に記載された現金取扱装置。
【請求項４】
各金種毎の前記硬貨収納庫に予め順番を決めておき、
前記硬貨回収部は、
前記管理有高情報から取得した第Ｎ金種（Ｎは整数）から第（Ｎ＋Ｓ）金種（Ｓは整数）までの枚数情報を組み合わせた合計枚数が前記最大収納可能枚数を超えるのであれば、前記第Ｎ金種から第（Ｎ＋Ｓ−１）金種までの硬貨収納庫から一度にＳの金種の硬貨を前記出金口に供給する
ことを特徴とする請求項２に記載された現金取扱装置。
【請求項５】
前記硬貨回収部は、
前記管理有高情報から取得した第Ｎ金種から第（Ｎ＋Ｓ）金種までの枚数情報を組み合わせた合計枚数が前記最大収納可能枚数を超えるのであれば、
前記第（Ｎ＋Ｓ）金種を除いた前記第Ｎ金種から次の第（Ｎ＋Ｓ＋１）金種の枚数情報を組み合わせて、その合計枚数が前記最大収納可能枚数以下の範囲であるか否かを判定する
ことを特徴とする請求項４に記載された現金取扱装置。
【請求項６】
前記管理有高情報は、記憶部に記憶され、外部から入力された入出金履歴データにより更新されることを特徴とする請求項２乃至請求項５のいずれか一項に記載された現金取扱装置。
【請求項７】
前記硬貨回収部は、前記最大収納可能枚数を、供給対象の金種の硬貨の体積に応じて変えることを特徴とする請求項１乃至請求項６のいずれか一項に記載された現金取扱装置。
【請求項８】
硬貨が投入される入金口と、前記投入された投入硬貨が金種毎に収納される硬貨収納庫と、前記収納された硬貨が放出される出金口と、前記投入硬貨の金種毎の枚数及び前記出金口から放出された放出硬貨の金種毎の予測枚数を含む管理有高情報が予め格納された記憶部と、前記硬貨収納庫に収納された硬貨を前記出金口に繰り出させる出金繰出部とを備える現金取扱装置に、前記出金口から前記入金口まで放出硬貨を搬送する硬貨精査補助ユニットが装着された現金取扱装置が有するコンピュータの硬貨放出制御方法であって、
前記コンピュータに、
前記管理有高情報から前記硬貨収納庫内に現在収納されている硬貨の金種毎の予測枚数情報を取得するステップと、
前記硬貨の金種毎の予測枚数情報に基づき、前記最大収納可能枚数以下の内に収まるように前記硬貨収納庫を組み合わせて、２以上の前記硬貨収納庫を硬貨回収対象に決定するステップと、
前記出金繰出部に、前記硬貨回収対象の硬貨収納庫から硬貨を繰り出させるステップと
を実行させることを特徴とする硬貨放出制御方法。
【請求項９】
硬貨が投入される入金口と、前記投入された投入硬貨が金種毎に収納される硬貨収納庫と、前記収納された硬貨が放出される出金口と、前記投入硬貨の金種毎の枚数及び前記出金口から放出された放出硬貨の金種毎の予測枚数を含む管理有高情報が予め格納された記憶部と、前記硬貨収納庫に収納された硬貨を前記出金口に繰り出させる出金繰出部とを備える現金取扱装置に、前記出金口から前記入金口まで放出硬貨を搬送する硬貨精査補助ユニットが装着された現金取扱装置が有するコンピュータを、
前記管理有高情報から前記硬貨収納庫内に現在収納されている硬貨の金種毎の予測枚数情報を取得する手段、
前記硬貨の金種毎の予測枚数情報に基づき、前記最大収納可能枚数以下の内に収まるように前記硬貨収納庫を組み合わせて、２以上の前記硬貨収納庫を硬貨回収対象に決定する手段、
前記出金繰出部に、前記硬貨回収対象の硬貨収納庫から硬貨を繰り出させる手段
として機能させることを特徴とする硬貨放出プログラム。
【発明の詳細な説明】
【技術分野】
【０００１】
本発明は、現金取扱装置、硬貨放出方法及び硬貨放出プログラムに関し、特に、装置内部に収納された硬貨を計数するために、出金口と入金口との間を硬貨精査補助ユニットで接続し、装置内部の硬貨を出金口に放出する現金取扱装置、硬貨放出方法及び硬貨放出プログラムに関する。
【背景技術】
【０００２】
従来、現金を取り扱う現金取扱装置の中には、精査処理機能を有する装置があった。なお、「精査処理」とは、装置の内部の現金の有高を計数する処理（すなわち、装置の内部の貨幣の枚数を金種別に計数する処理）を意味している。
このような現金取扱装置としては、例えば、販売店等に設置されたキャッシュレジスタの下に配置される釣銭機等がある（例えば、特許文献１，２参照）。ここでは、その釣銭機が硬貨の精査処理を行う場合を想定して説明する。そのため、ここでは、硬貨を取り扱う機構を中心にして説明する。
【０００３】
特許文献１に記載されるように、従来の現金取扱装置は、硬貨を金種毎に硬貨収納庫に収納していた。これら各硬貨収納庫に収納された硬貨の精査を行う際に、出金口と入金口との間を接続するように硬貨精査補助ユニットを装着してから、硬貨収納庫に収納された硬貨を出金口に放出した。これにより、硬貨精査補助ユニットは、現金取扱装置の出金口から放出された硬貨を内部に取り込み、搬送して現金取扱装置の入金口へ放出した。その後、現金取扱装置は、入金口に格納された硬貨に対して精査処理を行った。
【先行技術文献】
【特許文献】
【０００４】
【特許文献１】特開２０１３−２００６２３号公報
【特許文献２】特開２００１−３５１１３６号公報
【発明の概要】
【発明が解決しようとする課題】
【０００５】
しかしながら、従来の現金取扱装置は、硬貨を出金口に放出するときに、ある１金種の硬貨収納庫に収納された全ての硬貨を放出させてから、別の金種の硬貨収納庫から硬貨を放出させていた。このように、従来の現金取扱装置は、１金種ずつ硬貨収納庫から硬貨を放出させていたため、精査が完了するまでに時間が掛かるという問題点があった。
なお、硬貨精査補助ユニットは、取り込める硬貨の枚数に制限があり、その制限を超えた枚数の硬貨が現金取扱装置の出金口から放出されると、硬貨精査補助ユニットの硬貨取込口から硬貨があふれてしまうという問題点もある。
【０００６】
本発明は、以上のような問題を解決するためになされたものであり、硬貨精査補助ユニットが取り込める硬貨の枚数を考慮した上で、精査が完了するまでの時間を短縮することができる現金取扱装置、硬貨放出方法及び硬貨放出プログラムを提供することを課題とする。
【課題を解決するための手段】
【０００７】
前記課題を解決するために、本発明の現金取扱装置は、硬貨が投入される入金口（３１）と、前記投入された投入硬貨が金種毎に収納される硬貨収納庫（６２）と、前記収納された硬貨が放出される出金口（３２）と、前記投入硬貨を精査して金種毎の枚数を数える硬貨精査部（鑑別部５３）とを備える現金取扱装置（１）であって、前記出金口から前記入金口まで放出硬貨を搬送する硬貨精査補助ユニット（２）が装着され、前記硬貨精査補助ユニット（２）の最大収納可能枚数以下の範囲で、前記硬貨収納庫（６２）から一度に２以上の金種の硬貨を前記出金口（３２）に供給する硬貨回収部（出金繰出部５６，回収枚数判定部１１２）を備える。なお、（  ）内の文字、記号は例示である。
【０００８】
このように、硬貨精査補助ユニットの最大収納可能枚数を考慮して、硬貨収納庫から一度に２以上の金種の硬貨を出金口に供給することができる。
【発明の効果】
【０００９】
本発明によれば、硬貨精査補助ユニットに供給する硬貨の枚数を制御することで、精査が完了するまでの時間を短縮することができる。
【図面の簡単な説明】
【００１０】
【図１】第１実施形態に係る現金取扱装置と硬貨精査補助ユニットとを示す全体図である。
【図２】第１実施形態に係る現金取扱装置の主要部の斜視図である。
【図３】上方向から見た硬貨入出金部の断面図である。
【図４】右方向から見た硬貨入出金部の断面図である。
【図５】第１実施形態に係る現金取扱装置の構成を示すブロック図である。
【図６】現金取扱装置に装着された状態の硬貨精査補助ユニットの断面図である。
【図７】第１実施形態に係る現金取扱装置の回収精査動作のフローチャートである。
【図８Ａ】第２実施形態に係る現金取扱装置の回収精査動作のフローチャートである。
【図８Ｂ】図８Ａから続く第２実施形態に係る現金取扱装置の回収精査動作のフローチャートである。
【図９Ａ】第３実施形態に係る現金取扱装置の回収精査動作のフローチャートである。
【図９Ｂ】図９Ａから続く第３実施形態に係る現金取扱装置の回収精査動作のフローチャートである。
【発明を実施するための形態】
【００１１】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１２】
≪第１実施形態≫
図１は、第１実施形態に係る現金取扱装置としての釣銭機１と、釣銭機１に装着された硬貨精査補助ユニット２とを示す全体図である。
硬貨精査補助ユニット２は、釣銭機１が備える硬貨入出金部３の入金口３１（図２参照）と出金口３２（図２参照）とを接続し、出金口３２から放出された硬貨を内部に取り込み、上方に搬送して入金口３１に投入する構成部である。
【００１３】
［現金取扱装置の入出金システム］
ここで、第１実施形態に係る現金取扱装置としての釣銭機１の入出金システムについて、図２〜図６を用いて説明する。図２は、第１実施形態に係る釣銭機（現金取扱装置）の主要部の斜視図である。図３は、上方向から見た硬貨入出金部の断面図である。図４は、右方向から見た硬貨入出金部の断面図である。図５は、第１実施形態に係る釣銭機（現金取扱装置）の構成を示すブロック図である。図６は、釣銭機（現金取扱装置）に装着された状態の硬貨精査補助ユニットの断面図である。
【００１４】
図２に示すように、釣銭機１は、硬貨入出金部３と操作部４とを備える。硬貨入出金部３は、硬貨を取り扱う機構として、入金口３１、出金口３２、及び、リジェクト口３３を有している。
【００１５】
操作部４は、オペレータによって操作される構成要素である。図２に示す例では、操作部４は、入力部４ａと表示部４ｂとを備える。入力部４ａは、テンキーや十字キー等によって構成されており、各種の指示や情報が入力される。表示部４ｂは、ＬＣＤ等によって構成されており、各種の情報が表示される。
【００１６】
入金口３１は、レジ係員によって入金用の硬貨が投入される部位である。第１実施形態では、硬貨精査補助ユニット２の排出口２０２（図６参照）から硬貨が落下することにより、投入される。
出金口３２は、釣銭用の硬貨が排出される部位である。第１実施形態では、出金口３２が、出金トレイとして、装置の前面側から前方向に突出するように設けられているものとして説明する。この出金口３２の底部には、開口部３２ａとシャッタ３２ｂとが設けられている。開口部３２ａは、硬貨を硬貨精査補助ユニット２の取込口２０１（図６参照）の中に放出するための開口である。シャッタ３２ｂは、開口部３２ａを選択的に開放又は閉鎖する板状の部材であり、選択的に開くことで硬貨を下方向に落下させる。
リジェクト口３３は、金種が鑑別不能な硬貨（以下リジェクト硬貨と称する）や、異物等が、排出される部位である。
【００１７】
硬貨精査補助ユニット２は、シュート部２０６（図６参照）が降下し、釣銭機１に装着される。この装着状態において、釣銭機１における入金口３１及び出金口３２の周りの部分が硬貨入出金部３と硬貨精査補助ユニット２との接合部となり、硬貨精査補助ユニット２の後記する排出口２０２（図６参照）が釣銭機１の入金口３１に嵌め合わされ、後記する取込口２０１（図６参照）が釣銭機１の出金口３２に嵌め合わされている。
【００１８】
［硬貨入出金部３の内部構成］
図３及び図４を用いて、硬貨入出金部３の内部構成について説明する。
図３は、上方向から見た硬貨入出金部３の断面図である。そして、図４は、右方向から見た硬貨入出金部３の断面図である。
この硬貨入出金部３において、入金口３１に投入された硬貨は１枚ずつに分離されて、入金搬送部５１により搬送路５２に沿って、鑑別部５３を経由して選別部５４に搬送され、金種毎に分別されて金種別収納部５５（何れかの硬貨収納庫６２）に収納される。金種別収納部５５に収納された硬貨は、出金繰出部５６により出金口３２に排出される。
【００１９】
入金搬送部５１は、無端状に形成された２本の搬送ベルト５１ａ，５１ｂによって、構成されている。搬送ベルト５１ａは、入金口３１に投入された硬貨を搬送路５２の上流部分の途中まで搬送する搬送手段である。搬送ベルト５１ｂは、硬貨を搬送路５２の上流部分の途中から搬送路５２の下流部分（厳密には、金種別収納部５５の内部に設けられた該当金種の硬貨収納庫６２の上）まで搬送する搬送手段である。
【００２０】
鑑別部５３は、硬貨の種類及び真偽を鑑別する構成要素である。硬貨は、鑑別部５３を経由して入金搬送部５１に繰り出される。この鑑別部５３にて正当であると鑑別された硬貨は、入金搬送部５１に繰り出される。一方、鑑別部５３にて不当であると鑑別された硬貨（リジェクト硬貨）は、搬送路５２上のリジェクトゲート５７が開口することにより、リジェクト口３３に搬送する図示せぬ搬送ベルトの上に落下させる。これにより、硬貨入出金部３は、リジェクト硬貨をリジェクト口３３に排出することができる。
【００２１】
選別部５４は、鑑別部５３で正常に鑑別されて金種別収納部５５の上に搬送された硬貨を金種別に選別する構成要素である。選別部５４は、硬貨を金種別に選別して、選別収納ゲート５８から金種別収納部５５の内部に設けられた該当金種の硬貨収納庫６２の中に落下させる。
【００２２】
金種別収納部５５は、硬貨を金種別に収納する構成要素である。金種別収納部５５は、硬貨を収納する機能と硬貨を出金する機能とを併せ持つ。この金種別収納部５５は、内部で複数枚の仕切り板６１によって複数の硬貨収納庫６２に仕切られている。
【００２３】
各硬貨収納庫６２は、それぞれに固有の金種が割り当てられている。硬貨入出金部３は、各硬貨収納庫６２に割り当てられた金種の硬貨を各硬貨収納庫６２の中に収納する。ここでは、硬貨収納庫６２が、一円硬貨、五円硬貨、十円硬貨、五十円硬貨、百円硬貨、及び五百円硬貨の６種類の金種に合わせて、６個設けられているものとして説明する。
【００２４】
各硬貨収納庫６２は、装置の前後方向に延在するように、平行に配置されている。したがって、各硬貨収納庫６２を仕切る仕切り板６１も、装置の前後方向に延在するように、平行に配置されている。各硬貨収納庫６２の底部には、硬貨を出金口３２の方向（前方向）に搬送する搬送ベルト６３（図４参照）が１本ずつ設けられている。
【００２５】
出金繰出部５６は、硬貨収納庫６２の中に収納されている硬貨を（釣銭用の硬貨として）出金口３２に繰り出す構成要素である。出金繰出部５６は、例えば、硬貨収納庫６２の出金口３２側にて硬貨を出口に導くガイド６４（図４参照）や、硬貨を１枚ずつに分離する分離ローラ６５（図４参照）、硬貨収納庫６２の出口を開閉するピン６７（図４参照）、出口から出金口３２の方向に繰り出された硬貨を検知する光学センサ６６（図４参照）等を備えている。
【００２６】
ピン６７は、硬貨収納庫６２からの硬貨の出金を塞き止める構成要素である。ピン６７は、例えばソレノイドにより上下方向に移動し、硬貨収納庫６２の出口を開閉する。このピン６７が下がって（閉まって）いるときに硬貨は出口の近傍で塞き止められ、ピン６７が上がって（開いて）いるときに硬貨は分離ローラ６５により出口から出金口３２の方向に繰り出される。
【００２７】
また、出金繰出部５６は、後記する制御部１１（回収枚数判定部１１２、図５参照）からの指示に応じて、硬貨回収対象の硬貨収納庫６２の中に収納されている硬貨を出金口３２に繰り出す。ここで、硬貨回収対象の硬貨収納庫６２が２以上であれば、それらに収納されている硬貨を同時に出金口３２に繰り出す。
【００２８】
ここで、分離ローラ６５は、下方に位置する搬送ベルト６３（図４参照）とで硬貨を挟み込むように設けられ、搬送ベルト６３が回転する方向とは逆方向に回転するリバースローラである。これにより、搬送ベルト６３上を２枚の硬貨が重なって搬送されたとしても、上側の硬貨を分離ローラ６５が硬貨収納庫６２内部に押し戻すため、下側の硬貨のみを搬送ベルト６３は出金口３２の方向に繰り出すことができる。
出金口３２に排出された硬貨の枚数は、光学センサ６６による検知数から得ることができる。
【００２９】
［硬貨精査補助ユニット２の内部構成］
ここで、図６を用いて、硬貨精査補助ユニット２の内部構成について説明する。
図６は、釣銭機１に装着された状態の硬貨精査補助ユニット２の断面図である。この硬貨精査補助ユニット２は、取込口２０１が釣銭機１の出金口３２に嵌め合わされ、排出口２０２が釣銭機１の入金口３１に嵌め合わされている。
【００３０】
ここで、硬貨精査補助ユニット２の内部における硬貨Ｃの移動について説明する。釣銭機１の出金口３２から放出された硬貨Ｃは、硬貨精査補助ユニット２の取込口２０１を介して、硬貨格納部２０３に蓄積される。硬貨格納部２０３内の硬貨Ｃは１枚ずつに分離されて、分離された硬貨Ｃは搬送部２０４により搬送路２０５に沿ってシュート部２０６まで搬送される。シュート部２０６に搬送された硬貨Ｃは、排出口２０２から硬貨精査補助ユニット２の外部に排出される。これにより、硬貨Ｃが釣銭機１の入金口３１に投入される。
【００３１】
この硬貨精査補助ユニット２は、不図示の制御部及びセンサを備える。硬貨格納部２０３内に硬貨Ｃが格納されたことをセンサが検知したときに、ＣＰＵ（Central Processing Unit）で構成される制御部が搬送部２０４を駆動させることで、硬貨Ｃが硬貨格納部２０３内から搬出される。
【００３２】
硬貨格納部２０３は、硬貨Ｃを一時的に格納する構成要素である。
この硬貨格納部２０３の底部には、硬貨Ｃを搬送路２０５の方向（前方向）に搬送する搬送ベルト２０８が設けられている。
また、搬送路２０５に繋がる硬貨格納部２０３の出口には、分離ローラ２０７が下方に位置する搬送ベルト２０８とで硬貨Ｃを挟み込むように設けられている。この分離ローラ２０７は、搬送ベルト２０８が回転する方向とは逆方向に回転するリバースローラである。これにより、搬送ベルト２０８上を２枚の硬貨Ｃが重なって搬送されたとしても、分離ローラ２０７により、上側の硬貨Ｃを硬貨格納部２０３内部に押し戻し、下側の硬貨Ｃのみを搬送路２０５に繰り出すことができる。
【００３３】
搬送部２０４は、上方に位置するシュート部２０６まで搬送する搬送手段である。搬送部２０４は、無端状に形成された２本の搬送ベルト２０４ａ，２０４ｂと、それらを回転駆動させる不図示の駆動部とによって、構成されている。硬貨格納部２０３から搬送路２０５に繰り出された硬貨Ｃは、搬送ベルト２０４ａ，２０４ｂの双方により挟持されて、上方に移動する。
【００３４】
シュート部２０６は、搬送ベルト２０４ａ，２０４ｂによる搬送路２０５の終端部に備えられ、その終端部より下方に排出口２０２を有する構成要素である。このシュート部２０６にて、搬送ベルト２０４ａ，２０４ｂの双方に挟持された硬貨Ｃが解放される。これにより、硬貨Ｃは排出口２０２へと落下（滑落）して、釣銭機１の入金口３１に投入される。
【００３５】
［現金取扱装置の構成］
図５に示すように、釣銭機１は、前記した硬貨入出金部３及び操作部４が備える各種構成部の他に、制御部１１、記憶部１２、通信部１３とを備える。
制御部１１は、釣銭機１が備える入金搬送部５１や鑑別部５３、出金繰出部５６等の各部の動作を制御する機能手段であり、例えばＣＰＵで構成される。これらの機能は、ＣＰＵが記憶部１２に格納されるプログラムを実行することによって実現される。詳細を後記する。
記憶部１２は、データやプログラムを記憶する記憶手段であり、例えば、ＨＤＤ（Hard Disc Drive）、ＲＡＭ（Random Access Memory）、ＰＲＯＭ（Programmable Read Only Memory）、光ディスク等である。詳細を後記する。
【００３６】
通信部１３は、外部装置（例えばＰＯＳ（Point Of Sales）機能を有するキャッシュレジスタ８や不図示のサーバ等）と通信する構成要素である。
この通信部１３は、外部装置と通信可能に接続され、例えば、外部装置から送信されるレジ業務時の入出金データが記録された履歴データを記憶部１２に記憶させたり、記憶部１２に記憶されたデータ（後記する管理有高情報１２１）を取得して外部装置に送信したり、外部装置からの要求に応じて記憶部１２に記憶されたデータ（後記する最大回収可能枚数１２２）を更新したりする。
【００３７】
［記憶部１２］
記憶部１２は、管理有高情報１２１と、最大回収可能枚数１２２（Ｌ）とを記憶する。
【００３８】
管理有高情報１２１は、入金口３１に投入された硬貨の金種毎の枚数及び出金口３２から放出された硬貨の金種毎の枚数とが記録された取引履歴データである。ここで、入金口３１に投入された硬貨の金種毎の枚数は、業務取引時に鑑別部５３により精査された後で硬貨収納庫６２に収納された硬貨の金種毎の枚数である。また、出金口３２から放出された硬貨の金種毎の枚数は、業務取引時に出金繰出部５６により出金口３２に繰り出された硬貨の金種毎の枚数である。
すなわち、管理有高情報１２１に含まれる入出金データから、硬貨収納庫６２に収納されている各金種の硬貨の枚数を取得することができる。
【００３９】
この管理有高情報１２１と、回収後に鑑別部５３により精査された後で硬貨収納庫６２に収納された硬貨の金種毎の枚数、すなわち、新たに管理有高情報１２１として追加された情報（回収後有高情報１２３とする）とが一致しなければ、不図示の精査処理を行う制御部１１（後記する回収枚数判定部１１２）によりエラーと判定されることになる。
ここでエラーと判定される場合として、例えば悪意のある者が硬貨収納庫６２から直接硬貨を盗んだ場合や、リジェクト硬貨発生による枚数不一致等が考えられる。
【００４０】
最大回収可能枚数１２２は、予め決められた数値であり、第１実施形態における最大回収可能枚数１２２は、硬貨精査補助ユニット２の硬貨格納部２０３に格納できる硬貨の最大枚数である。
【００４１】
［制御部１１］
制御部１１は、金種別入出金枚数管理部１１１と、回収枚数判定部１１２とを備える。
金種別入出金枚数管理部１１１は、鑑別部５３が精査した後の各金種の硬貨の枚数情報を管理有高情報１２１として記憶部１２に記憶させる機能手段である。
【００４２】
回収枚数判定部１１２は、記憶部１２に記憶された情報に基づいて、硬貨回収対象の硬貨収納庫６２を決定し、出金繰出部５６に指示する機能手段である。
この回収枚数判定部１１２は、管理有高情報１２１から各金種の硬貨収納庫６２の収納枚数情報を取得し、最大回収可能枚数１２２（Ｌ）を取得する。そして、回収枚数判定部１１２は、最大回収可能枚数１２２以下の範囲内に収まるように各金種の硬貨収納庫６２の収納枚数を組み合わせて、一度に２以上の金種の硬貨を回収できるように、硬貨回収対象の硬貨収納庫６２を決定する。そして、回収枚数判定部１１２は、決定した硬貨回収対象の硬貨収納庫６２を出金繰出部５６に通知する。
【００４３】
第１実施形態において、回収枚数判定部１１２は、硬貨回収対象の硬貨収納庫６２を組み合わせる順番が予め決まっており、一円硬貨収納庫、五円硬貨収納庫、十円硬貨収納庫、五十円硬貨収納庫、百円硬貨収納庫、五百円硬貨収納庫の順番で組み合わせる。
【００４４】
［実施例］
例えば、最大回収可能枚数１２２（Ｌ）が１６０枚であり、一円硬貨収納庫に８０枚、五円硬貨収納庫に７０枚の硬貨が収納されている場合について説明する。
（１）まず、回収枚数判定部１１２は、一円硬貨収納庫を基準として最初の判定を行う。一円硬貨収納庫の８０枚は最大回収可能枚数１２２以下であるため、次の五円硬貨収納庫も硬貨回収対象候補となる。ここで硬貨回収対象候補の選定処理を終了する。
（２）以上により、回収枚数判定部１１２は、一円硬貨収納庫及び五円硬貨収納庫の２つを硬貨回収対象に決定する。
（３）この一円硬貨収納庫及び五円硬貨収納庫の硬貨を回収後、回収枚数判定部１１２は、新たに十円硬貨収納庫を基準として再度判定を行う。このようにして、回収枚数判定部１１２は、硬貨回収対象の硬貨収納庫６２を決定し、出金繰出部５６に指示する。
【００４５】
［回収精査動作（１）］
図７に示すフローチャートを用いて、第１実施形態に係る現金取扱装置（釣銭機１）の回収精査動作について説明する。
ここで、精査対象の金種は６金種であり、予め、一円硬貨、五円硬貨、十円硬貨、五十円硬貨、百円硬貨、五百円硬貨の順番で回収されることとする。
【００４６】
まず、オペレータにより、釣銭機１の硬貨入出金部３に硬貨精査補助ユニット２が装着される。オペレータによって操作部４が操作されて回収精査開始の指示が入力されることで、硬貨入出金部３の制御部１１が回収精査処理を開始する。
【００４７】
回収枚数判定部１１２は、記憶部１２から管理有高情報１２１と最大回収可能枚数１２２（Ｌ）とを取得する（ステップＳ１０１）。
そして、回収枚数判定部１１２は、Ｎ＝１とする（ステップＳ１０２）。このＮの最大値は最大金種数の６である。
【００４８】
回収枚数判定部１１２は、管理有高情報１２１から情報を抽出して、第Ｎ金種の硬貨収納庫６２内の硬貨枚数と、第Ｎ＋１金種の硬貨収納庫６２内の硬貨枚数との合計枚数が、最大回収可能枚数１２２（Ｌ）以下であるか否かを判定する（ステップＳ１０３）。
合計枚数が最大回収可能枚数１２２（Ｌ）より多ければ（ステップＳ１０３，Ｎｏ）、第Ｎ金種の硬貨収納庫６２のみを硬貨回収対象に決定する（ステップＳ１０４）。そして、ステップＳ１０７の処理を行う。
【００４９】
一方、合計枚数が最大回収可能枚数１２２（Ｌ）以下であれば（ステップＳ１０３，Ｙｅｓ）、第Ｎ金種の硬貨収納庫６２及び第Ｎ＋１金種の硬貨収納庫６２の双方を硬貨回収対象に決定する（ステップＳ１０５）。そして、回収枚数判定部１１２は、Ｎ＝Ｎ＋１とする（ステップＳ１０６）。
【００５０】
そして、回収枚数判定部１１２は、決定した硬貨回収対象を出金繰出部５６に通知する（ステップＳ１０７）。
通知を受けた出金繰出部５６は、硬貨回収対象となった金種の硬貨収納庫６２の中に収納されている硬貨を、出金口３２に繰り出す（ステップＳ１０８）。これにより、精査処理が行われる（ステップＳ１０９）。この制御部１１が行う精査処理は、一般的に行われている処理であるため、簡単な説明とする。
【００５１】
≪精査処理≫
硬貨精査補助ユニット２は、出金口３２から放出された硬貨を内部に取り込み、搬送後、硬貨入出金部３の入金口３１に投入する。入金口３１に投入された硬貨は、鑑別部５３を通過する。このとき鑑別部５３が取得した情報に基づき制御部１１により有高情報が精査される。金種別入出金枚数管理部１１１は、精査後の有高情報（回収後有高情報１２３）を記憶部１２の管理有高情報１２１に追記する。これにより、管理有高情報１２１が更新される（ステップＳ１１０）。
【００５２】
回収枚数判定部１１２は、管理有高情報１２１が更新されたことを受けて、Ｎの値を判定する（ステップＳ１１１；Ｎ＝６？）。
Ｎ≠６であれば（ステップＳ１１１，Ｎｏ）、回収枚数判定部１１２は、Ｎ＝Ｎ＋１とし（ステップＳ１１２）、再びステップＳ１０３の処理を行う。
一方、Ｎ＝６であれば（ステップＳ１１１，Ｙｅｓ）、制御部１１は、釣銭機１の回収精査動作を終了する。
【００５３】
ここで、ステップＳ１０９の精査処理により、全ての金種の硬貨を精査した後の有高情報（回収後有高情報１２３）が、予め記憶されている枚数情報（例えばレジ業務時の入出金データが記録された履歴データ）と一致していれば確定となり、精査完了となる。一方、不一致であれば不確定となる。そのため、再度回収精査動作を行う場合もある。
【００５４】
以上のように、第１実施形態の釣銭機１によれば、硬貨収納庫６２内に収納されている硬貨の枚数を確認し、精査対象の金種の枚数とその次の金種の枚数とを合計する。合計枚数が硬貨精査補助ユニットの最大収納枚数以下であれば、２金種同時に回収・入金動作を実行するため、精査処理時間を短縮することが期待できる。
第１実施形態の釣銭機１によれば、硬貨精査補助ユニット２の動作時間も短縮できるため、省電力化及び構成部品の長寿命化が期待できる。
【００５５】
≪第２実施形態≫
第２実施形態に係る現金取扱装置（釣銭機１）について説明する。
第２実施形態に係る現金取扱装置は、第１実施形態に係る現金取扱装置（釣銭機１）とは一部機能が異なる回収枚数判定部１１２を備える。そこで当該構成部には同名称別符号を付し、回収枚数判定部１１２Ａとした。その他の構成は第１実施形態に係る現金取扱装置（釣銭機１）と同様なので、説明を便宜的に省略する。
【００５６】
［回収枚数判定部１１２Ａ］
回収枚数判定部１１２Ａは、第１実施形態に係る回収枚数判定部１１２と同様に、記憶部１２に記憶された情報に基づいて、硬貨回収対象の硬貨収納庫６２を決定し、出金繰出部５６に指示する機能手段である。
そして、この回収枚数判定部１１２Ａは、３つ以上の金種の硬貨収納庫６２を硬貨回収対象にする機能手段である。
この回収枚数判定部１１２Ａが行う詳細の処理については、後記する図８Ａ及び図８Ｂに示すフローチャートを用いて説明する。
【００５７】
第１実施形態と同様に、第２実施形態においても、回収枚数判定部１１２Ａは、硬貨回収対象の硬貨収納庫６２を組み合わせる順番が予め決まっており、一円硬貨収納庫、五円硬貨収納庫、十円硬貨収納庫、五十円硬貨収納庫、百円硬貨収納庫、五百円硬貨収納庫の順番で組み合わせる。
【００５８】
［実施例］
例えば、最大回収可能枚数１２２（Ｌ）が１６０枚であり、一円硬貨収納庫に６０枚、五円硬貨収納庫に５０枚、十円硬貨収納庫に４０枚、五十円硬貨収納庫に３０枚の硬貨が収納されている場合について説明する。
（１）まず、回収枚数判定部１１２Ａは、一円硬貨収納庫を基準として最初の判定を行う。一円硬貨収納庫の６０枚は最大回収可能枚数１２２以下であるため、次の五円硬貨収納庫も硬貨回収対象候補となる（この時点の合計枚数＝６０）。
【００５９】
（２）この五円硬貨収納庫の５０枚を加えても最大回収可能枚数１２２以下であるため、その次の十円硬貨収納庫も硬貨回収対象候補となる（この時点の合計枚数＝１１０）。
（３）この十円硬貨収納庫の４０枚を加えても最大回収可能枚数１２２以下であるため、その次の五十円硬貨収納庫も硬貨回収対象候補となる（この時点の合計枚数＝１５０）。
（４）しかしながら、この五十円硬貨収納庫の３０枚を加えることで最大回収可能枚数１２２を超えるため、ここで硬貨回収対象候補の選定処理を終了する。
【００６０】
（５）以上により、回収枚数判定部１１２Ａは、一円硬貨収納庫、五円硬貨収納庫及び十円硬貨収納庫の３つを硬貨回収対象に決定する。
（６）この一円硬貨収納庫、五円硬貨収納庫及び十円硬貨収納庫の硬貨を回収後、回収枚数判定部１１２Ａは、新たに五十円硬貨収納庫を基準として再度判定を行う。このようにして、回収枚数判定部１１２Ａは、硬貨回収対象の硬貨収納庫６２を決定し、出金繰出部５６に指示する。
【００６１】
［回収精査動作（２）］
図８Ａ及び図８Ｂに示すフローチャートを用いて、第２実施形態に係る現金取扱装置（釣銭機１）の回収精査動作について説明する。
ここで、精査対象の金種は６金種であり、予め、一円硬貨、五円硬貨、十円硬貨、五十円硬貨、百円硬貨、五百円硬貨の順番で回収されることとする。
【００６２】
まず、オペレータにより、釣銭機１の硬貨入出金部３に硬貨精査補助ユニット２が装着される。オペレータによって操作部４が操作されて回収精査開始の指示が入力されることで、硬貨入出金部３の制御部１１が回収精査処理を開始する。
【００６３】
回収枚数判定部１１２Ａは、記憶部１２から管理有高情報１２１と最大回収可能枚数１２２（Ｌ）とを取得する（ステップＳ１０１）。
そして、回収枚数判定部１１２Ａは、Ｎ＝１，Ｓ＝１とする（ステップＳ２０１）。このＮの最大値は最大金種数の６である。また、Ｓは回収する金種数を示す。
【００６４】
次から説明するステップＳ２０２〜Ｓ２０６の処理で、回収枚数判定部１１２Ａは、管理有高情報１２１から硬貨収納庫６２内に収納されているはずの硬貨の枚数情報を抽出して、第Ｎ金種の硬貨収納庫６２内の硬貨枚数と、第Ｎ＋１金種の硬貨収納庫６２内の硬貨枚数との合計枚数が、最大回収可能枚数１２２（Ｌ）以下であるか否かを判定する。ここで、連続する２金種以上の硬貨を回収可能か否かを判定している。
【００６５】
まず、回収枚数判定部１１２Ａは、管理有高情報１２１から情報を抽出して、第Ｎ金種の硬貨枚数をＡとする（ステップＳ２０２）。
さらに、回収枚数判定部１１２Ａは、管理有高情報１２１から情報を抽出して、第Ｎ＋１金種の硬貨枚数をＢとする（ステップＳ２０３）。
次に、回収枚数判定部１１２Ａは、ＡとＢとの合計枚数と、最大回収可能枚数１２２（Ｌ）とを比較する（ステップＳ２０４；Ａ＋Ｂ≦Ｌ？）。
【００６６】
合計枚数（Ａ＋Ｂ）が最大回収可能枚数１２２（Ｌ）以下であれば（ステップＳ２０４，Ｙｅｓ）、合計枚数（Ａ＋Ｂ）の値をＡとし（ステップＳ２０５；Ａ＝Ａ＋Ｂ）、Ｎの値をＮ＋１とし、Ｓの値をＳ＋１とする（ステップＳ２０６）。そして、ステップＳ２０３の処理に戻る。
【００６７】
一方、合計枚数（Ａ＋Ｂ）が最大回収可能枚数１２２（Ｌ）より多ければ（ステップＳ２０４，Ｎｏ）、回収枚数判定部１１２Ａは、Ｓの値を判定する（ステップＳ２０７；Ｓ＝１？）。
【００６８】
Ｓ＝１であれば（ステップＳ２０７，Ｙｅｓ）、第Ｎ金種の硬貨収納庫６２のみを硬貨回収対象に決定する（ステップＳ１０４）。そして、ステップＳ１０７の処理を行う。
【００６９】
一方、Ｓ≠１であれば（ステップＳ２０７，Ｎｏ）、第Ｎ金種から第Ｎ＋（Ｓ−１）金種までの硬貨収納庫６２を硬貨回収対象に決定する（ステップＳ２０８）。そして、回収枚数判定部１１２Ａは、Ｎ＝Ｎ＋（Ｓ−１）とする（ステップＳ２０９）。
【００７０】
そして、回収枚数判定部１１２Ａは、決定した硬貨回収対象を出金繰出部５６に通知する（ステップＳ１０７）。
通知を受けた出金繰出部５６は、硬貨回収対象となった金種の硬貨収納庫６２の中に収納されている硬貨を、出金口３２に繰り出す（ステップＳ１０８）。これにより、精査処理が行われる（ステップＳ１０９（図８Ｂ））。この制御部１１が行う精査処理は、一般的に行われている処理であるため、簡単な説明とする。
【００７１】
≪精査処理≫
硬貨精査補助ユニット２は、出金口３２から放出された硬貨を内部に取り込み、搬送後、硬貨入出金部３の入金口３１に投入する。入金口３１に投入された硬貨は、鑑別部５３を通過する。このとき鑑別部５３が取得した情報に基づき、有高情報が制御部１１により精査される。金種別入出金枚数管理部１１１は、精査後の有高情報（回収後有高情報１２３）を記憶部１２の管理有高情報１２１に追記する。これにより、管理有高情報１２１が更新される（ステップＳ１１０）。
【００７２】
回収枚数判定部１１２Ａは、管理有高情報１２１が更新されたことを受けて、Ｎの値を判定する（ステップＳ１１１；Ｎ＝６？）。
Ｎ≠６であれば（ステップＳ１１１，Ｎｏ）、回収枚数判定部１１２Ａは、Ｎ＝Ｎ＋１とし（ステップＳ１１２）、再びステップＳ２０２（図８Ａ）の処理を行う。
一方、Ｎ＝６であれば（ステップＳ１１１，Ｙｅｓ）、制御部１１は、釣銭機１の回収精査動作を終了する。
【００７３】
ここで、ステップＳ１０９の精査処理により、全ての金種の硬貨を精査した後の有高情報（回収後有高情報１２３）が、予め記憶されている枚数情報（例えばレジ業務時の入出金データが記録された履歴データ）と一致していれば確定となり、精査完了となる。一方、不一致であれば不確定となる。そのため、再度回収精査動作を行う場合もある。
【００７４】
以上のように、第２実施形態の釣銭機１によれば、硬貨収納庫６２内に収納されている硬貨の枚数を確認し、予め決められた金種順の第Ｎ金種目から収納枚数を合計していく。合計枚数が硬貨精査補助ユニットの最大収納枚数以下の範囲で、最大となる複数金種を同時に回収・入金動作を繰り返し実行するため、第１実施形態の釣銭機１よりも精査処理時間を短縮することが期待できる。
【００７５】
≪第３実施形態≫
第３実施形態に係る現金取扱装置（釣銭機１）について説明する。
第３実施形態に係る現金取扱装置は、第１実施形態及び第２実施形態に係る現金取扱装置（釣銭機１）とは一部機能が異なる回収枚数判定部１１２及び記憶部１２を備える。そこで当該構成部には同名称別符号を付し、回収枚数判定部１１２Ｂ、記憶部１２Ｂとした。この記憶部１２Ｂには回収記録部（不図示）が記憶される。その他の構成は第１実施形態に係る現金取扱装置（釣銭機１）と同様なので、説明を便宜的に省略する。
【００７６】
［回収枚数判定部１１２Ｂ］
回収枚数判定部１１２Ｂは、第１実施形態に係る回収枚数判定部１１２と同様に、記憶部１２に記憶された情報に基づいて、硬貨回収対象の硬貨収納庫６２を決定し、出金繰出部５６に指示する機能手段である。
そして、この回収枚数判定部１１２Ｂは、最大回収可能枚数１２２（Ｌ）に達するまでの残り枚数に応じて、硬貨収納庫６２を飛ばして次の金種の硬貨収納庫６２を硬貨回収対象にする機能手段である。
この回収枚数判定部１１２Ｂが行う詳細の処理については、後記する図９Ａ及び図９Ｂに示すフローチャートを用いて説明する。
【００７７】
第１実施形態と同様に、第３実施形態においても、回収枚数判定部１１２Ｂは、硬貨回収対象の硬貨収納庫６２を組み合わせる順番が予め決まっており、一円硬貨収納庫、五円硬貨収納庫、十円硬貨収納庫、五十円硬貨収納庫、百円硬貨収納庫、五百円硬貨収納庫の順番で組み合わせる。
【００７８】
［実施例］
例えば、最大回収可能枚数１２２（Ｌ）が１６０枚であり、一円硬貨収納庫に８０枚、五円硬貨収納庫に１００枚、十円硬貨収納庫に５０枚、五十円硬貨収納庫に４０枚、百円硬貨収納庫に３０枚、五百円硬貨収納庫に２０枚の硬貨が収納されている場合について説明する。
（１）まず、回収枚数判定部１１２Ｂは、一円硬貨収納庫を基準として最初の判定を行う。一円硬貨収納庫の８０枚は最大回収可能枚数１２２以下であるため、次の五円硬貨収納庫も硬貨回収対象候補となる（この時点の合計枚数＝８０）。
【００７９】
（２）この五円硬貨収納庫の１００枚を加えると、最大回収可能枚数１２２以上となるため、五円硬貨収納庫を飛ばして次の金種の十円硬貨収納庫を硬貨回収対象候補とする。この十円硬貨収納庫の５０枚を加えても最大回収可能枚数１２２以下であるため、その次の五十円硬貨収納庫も硬貨回収対象候補となる（この時点の合計枚数＝１３０）。
（３）しかしながら、この五十円硬貨収納庫の４０枚を加えることで最大回収可能枚数１２２を超えるため、五十円硬貨収納庫を飛ばして次の金種の百円硬貨収納庫を硬貨回収対象候補となる（この時点の合計枚数＝１３０）。
【００８０】
（４）しかしながら、この百円硬貨収納庫の３０枚を加えることで最大回収可能枚数１２２を超えるため、百円硬貨収納庫を飛ばして次の金種の五百円硬貨収納庫が硬貨回収対象候補となる（この時点の合計枚数＝１３０）。
（５）この五百円硬貨収納庫の２０枚を加えても最大回収可能枚数１２２以下であるが、五百円硬貨収納庫が最大数の金種であるため、ここで硬貨回収対象候補の選定処理を終了する（この時点の合計枚数＝１５０）。
【００８１】
（６）以上により、回収枚数判定部１１２Ｂは、一円硬貨収納庫、十円硬貨収納庫及び五百円硬貨収納庫の３つを硬貨回収対象に決定する。
（７）この一円硬貨収納庫、十円硬貨収納庫及び五百円硬貨収納庫の硬貨を回収後、回収枚数判定部１１２Ｂは、新たに五円硬貨収納庫を基準として再度判定を行う。このようにして、回収枚数判定部１１２Ｂは、硬貨回収対象の硬貨収納庫６２を決定し、出金繰出部５６に指示する。
【００８２】
［記憶部１２Ｂ］
記憶部１２Ｂは、不図示の回収記録部を備え、精査対象の金種別の硬貨収納庫についての情報が記録される。この回収記録部は、例えば回収有無が記録可能なフラグやデータベースでよい。第３実施形態において、この回収記録部には、一円硬貨、五円硬貨、十円硬貨、五十円硬貨、百円硬貨、五百円硬貨の各硬貨収納庫６２が「硬貨回収対象」である否か、及び「硬貨回収済」であるか否かが記録される。
【００８３】
［回収精査動作（３）］
図９Ａ及び図９Ｂに示すフローチャートを用いて、第３実施形態に係る現金取扱装置（釣銭機１）の回収精査動作について説明する。
ここで、精査対象の金種は６金種であり、予め、一円硬貨、五円硬貨、十円硬貨、五十円硬貨、百円硬貨、五百円硬貨の順番で回収されることとする。
【００８４】
まず、オペレータにより、釣銭機１の硬貨入出金部３に硬貨精査補助ユニット２が装着される。オペレータによって操作部４が操作されて回収精査開始の指示が入力されることで、硬貨入出金部３の制御部１１が回収精査処理を開始する。
【００８５】
回収枚数判定部１１２Ｂは、記憶部１２から管理有高情報１２１と最大回収可能枚数１２２（Ｌ）とを取得する（ステップＳ１０１）。
そして、回収枚数判定部１１２Ｂは、Ｎ＝１、Ｓｕｍ＝０とする（ステップＳ３０２）。このＮの最大値は最大金種数の６であり、Ｓｕｍは回収対象硬貨の合計枚数を示す。
【００８６】
回収枚数判定部１１２Ｂは、Ｎの値を判定する（ステップＳ３０３；Ｎ＝６？）。
Ｎ＝６であれば（ステップＳ３０３，Ｙｅｓ）、回収枚数判定部１１２Ｂは、ステップＳ３１１の処理を行う（図９Ｂ）。
【００８７】
一方、Ｎ≠６であれば（ステップＳ３０３，Ｎｏ）、回収枚数判定部１１２Ｂは、記憶部１２Ｂの回収記録部（不図示）を参照して、第Ｎ金種の硬貨収納庫６２は既に「硬貨回収済」であるか否かを判定する（ステップＳ３０４）。
【００８８】
未回収であれば（ステップＳ３０４，Ｎｏ）、回収枚数判定部１１２Ｂは、管理有高情報１２１から情報を抽出して、第Ｎ金種の硬貨収納庫６２内の硬貨枚数を取得し、取得した硬貨枚数をＭとする（ステップＳ３０５）。
【００８９】
そして、回収枚数判定部１１２Ｂは、ＳｕｍとＭとの合計枚数が、最大回収可能枚数１２２（Ｌ）以下であるか否かを判定する（ステップＳ３０６；Ｓｕｍ＋Ｍ≦Ｌ？）。
【００９０】
合計枚数（Ｓｕｍ）が最大回収可能枚数１２２（Ｌ）以下であれば（ステップＳ３０６，Ｙｅｓ）、回収枚数判定部１１２Ｂは、Ｓｕｍ＝Ｓｕｍ＋Ｍとし（ステップＳ３０７）、さらに、第Ｎ金種の硬貨収納庫６２を硬貨回収対象に決定する（ステップＳ３０８）。
そして、回収枚数判定部１１２Ｂは、Ｎ＝Ｎ＋１とし（ステップＳ３０９）、ステップＳ３０３の処理に戻る。
【００９１】
ここで、ステップＳ３０４の判定で、「硬貨回収済」である場合（ステップＳ３０４，Ｙｅｓ）、または、ステップＳ３０６の判定で、合計枚数（Ｓｕｍ）が最大回収可能枚数１２２（Ｌ）より多い場合（ステップＳ３０６，Ｎｏ）においても、回収枚数判定部１１２Ｂは、Ｎ＝Ｎ＋１とし（ステップＳ３０９）、ステップＳ３０３の処理に戻る。
【００９２】
≪ステップＳ３１１（図９Ｂ）≫
回収枚数判定部１１２Ｂは、（ステップＳ３０８にて）硬貨回収対象に決定した各金種の硬貨回収対象を出金繰出部５６に通知する（ステップＳ３１１）。
【００９３】
通知を受けた出金繰出部５６は、硬貨回収対象となった金種の硬貨収納庫６２の中に収納されている硬貨を、出金口３２に繰り出す（ステップＳ１０８）。これにより、精査処理が行われる（ステップＳ１０９）。この制御部１１が行う精査処理は、一般的に行われている処理であるため、簡単な説明とする。
【００９４】
≪精査処理≫
硬貨精査補助ユニット２は、出金口３２から放出された硬貨を内部に取り込み、搬送後、硬貨入出金部３の入金口３１に投入する。入金口３１に投入された硬貨は、鑑別部５３を通過する。このとき鑑別部５３が取得した情報に基づき制御部１１により有高情報が精査される。金種別入出金枚数管理部１１１は、精査後の有高情報（回収後有高情報１２３）を記憶部１２の管理有高情報１２１に追記する。これにより、管理有高情報１２１が更新される（ステップＳ１１０）。
【００９５】
回収枚数判定部１１２Ｂは、管理有高情報１２１が更新されたことを受けて、（ステップＳ３１１で通知した）硬貨回収対象の各金種の硬貨収納庫６２の回収記録部（不図示）を「硬貨回収済」にする（ステップＳ３１２）。
【００９６】
回収枚数判定部１１２Ｂは、全ての金種の硬貨収納庫６２が「硬貨回収済」であるか否かを判定する（ステップＳ３１３）。
未回収の金種の硬貨収納庫６２があれば（ステップＳ３１３，Ｎｏ）、再びステップＳ３０２（図９Ａ）の処理を行う。
一方、全ての金種の硬貨収納庫６２が「硬貨回収済」であれば（ステップＳ３１３，Ｙｅｓ）、制御部１１は、釣銭機１の回収精査動作を終了する。
【００９７】
ここで、ステップＳ１０９の精査処理により、全ての金種の硬貨を精査した後の有高情報（回収後有高情報１２３）が、予め記憶されている枚数情報（例えばレジ業務時の入出金データが記録された履歴データ）と一致していれば確定となり、精査完了となる。一方、不一致であれば不確定となる。そのため、再度回収精査動作を行う場合もある。
【００９８】
図９Ａ及び図９Ｂのフローチャートでは、ステップＳ３１３でＮｏの場合、再びＮ＝１、つまり第１金種である一円硬貨収納庫を対象として処理を行うが、ステップＳ３１２において、回収記録部（不図示）には、一円硬貨収納庫に対応する「硬貨回収済」が記録されている。よって、ステップＳ３０４でＹｅｓとなり、再び一円硬貨収納庫が「硬貨回収対象」となることはない。このようにして、ステップＳ３１３でＮｏの場合、回収枚数判定部１１２Ｂは、次の「硬貨回収済」が記録されていない硬貨収納庫（前記した実施例であれば、飛ばされた五円硬貨収納庫）を基準として処理を行う。
【００９９】
以上のように、第３実施形態の釣銭機１によれば、硬貨収納庫６２内に収納されている硬貨の枚数を確認し、予め決められた金種順から順番に収納枚数を合計していく。合計枚数がＮ金種目で硬貨精査補助ユニット２の最大収納枚数以上となってしまった場合には、Ｎ金種目は同時に精査不可能と判断して、Ｎ金種目の硬貨収納庫６２を飛ばし（硬貨回収対象とせず）、次のＮ＋１金種目を確認する。このように金種順に依らず最大収納枚数以下の範囲内で複数金種を同時に回収・入金動作を実行するため、第２実施形態の釣銭機１よりも精査処理時間を短縮することが期待できる。
【０１００】
上記実施例は、硬貨精査補助ユニット２が装着された釣銭機１による精査時の動作を説明したが、その他の硬貨現金処理機、または複数金種を扱う紙幣現金処理機にも適用可能である。
また、精査は一円硬貨、五円硬貨、十円硬貨、五十円硬貨、百円硬貨、五百円硬貨の順で行う例を説明をしたが、精査を行う金種の順番に制限がなく、任意に変更可能である。
【０１０１】
本発明は、前記した実施形態に限定されることなく、本発明の要旨を逸脱しない範囲で種々の変更や変形を行うことができる。
例えば、実施例として、現金取扱装置は釣銭機１のみの構成としたが、紙幣の入出金及び収納を行う釣札機をさらに備える構成であってもよい。
【０１０２】
釣銭機１は、機種毎に、硬貨入出金部３の入金口３１や出金口３２の位置を違えて設計することができる。ただし、この場合、硬貨精査補助ユニット２は、排出口２０２が釣銭機１の入金口３１の中に挿入自在な構成になるとともに、後記する取込口２０１（図６参照）が釣銭機１の出金口３２（開口部３２ａ）の下に配置された構成になるように、装着の対象となる釣銭機１の機種に合わせて、設計される必要がある。
【０１０３】
第１〜３実施形態において、回収枚数判定部１１２は、処理手順を簡素化するため、硬貨回収対象の硬貨収納庫６２を組み合わせる順番が予め決まっているとしたが、硬貨回収対象となった硬貨収納庫６２が再び硬貨回収対象とならなければ、組み合わせる順番はランダムであってもよい。また、一円硬貨収納庫を基準として最初の判定を行うとしたが、いずれかの硬貨収納庫６２であればよい。
【０１０４】
管理有高情報１２１は、外部装置（例えば、ＰＯＳ（Point Of Sales）機能を有するキャッシュレジスタ８や不図示のサーバ等）から送信されるレジ業務時の入出金データが記録された履歴データの一部であってもよい。この場合、履歴データを受信した後、記憶部１２に記憶された管理有高情報１２１は更新される。
【０１０５】
最大回収可能枚数１２２（Ｌ）は、硬貨精査補助ユニット２に収納できる硬貨の最大枚数と、釣銭機１の入金口３１に溜めておける硬貨の最大枚数とを加えた数であってもよい。また、この硬貨精査補助ユニット２に収納できる硬貨の最大枚数は、硬貨格納部２０３に格納できる硬貨の最大枚数だけでなく、搬送路２０５を移動する硬貨の枚数を加えた数であってもよい。
【０１０６】
また、最大回収可能枚数１２２（Ｌ）は、回収対象の硬貨の金種の体積に応じて変えてもよい。例えば、一円硬貨（単位硬貨）を基準として各金種の枚数を定義する。すなわち、五百円硬貨は一円硬貨２．５枚分、十円硬貨は一円硬貨２枚分に相当すると定義することで、例えば、五百円硬貨の場合の最大回収可能枚数１２２が１６０枚であれば、この定義により、一円硬貨の場合の最大回収可能枚数１２２は４００枚となり、回収できる硬貨の枚数を金種によって増やすことができる。これにより、最大限まで硬貨を回収することができる。
【０１０７】
［出金口に放出する直前で精査する場合］
出金口３２に放出する直前の位置に鑑別部５３を取り付けてもよい。
この場合、出金口３２に放出する直前の位置で鑑別部５３が精査処理に必要な情報を取得することで、各金種の硬貨の枚数情報を取得することができる。回収枚数判定部１１２は、この各金種の硬貨の枚数情報と最大回収可能枚数１２２（Ｌ）とを比較すればよい。例えば、回収枚数判定部１１２は、２金種の硬貨収納庫６２から硬貨を繰り出させればよい。もし、それら硬貨の枚数情報が最大回収可能枚数１２２に達した時、ピン６７を下げさせて、全ての金種の硬貨収納庫６２の出口を閉じ、繰り出した硬貨を硬貨収納庫６２に戻させてから、次は１金種の硬貨収納庫６２のみから硬貨を繰り出させればよい。
このようにすることで、最大回収可能枚数１２２の比較対象である「出金口３２から放出される硬貨の金種毎の枚数情報」を得ることができるため、管理有高情報１２１が必要ない。そのため、金種別入出金枚数管理部１１１も必要ない。
【符号の説明】
【０１０８】
１      釣銭機（現金取扱装置）
２      硬貨精査補助ユニット
３      硬貨入出金部
４      操作部
４ａ    入力部
４ｂ    表示部
８      キャッシュレジスタ
１１    制御部
１２（１２Ｂ）  記憶部
１３    通信部
３１    入金口
３２    出金口
３２ａ  開口部
３２ｂ  シャッタ
３３    リジェクト口
５１    入金搬送部
５１ａ，５１ｂ  搬送ベルト
５２    搬送路
５３    鑑別部
５４    選別部
５５    金種別収納部
５６    出金繰出部
５７    リジェクトゲート
５８    選別収納ゲート
６１    仕切り板
６２    硬貨収納庫
６３    搬送ベルト
６４    ガイド
６５    分離ローラ
６６    光学センサ
６７    ピン（硬貨収納庫の出口）
１１１  金種別入出金枚数管理部
１１２（１１２Ａ，１１２Ｂ）  回収枚数判定部
１２１  管理有高情報
１２２  最大回収可能枚数
１２３  回収後有高情報
２０１  取込口
２０２  排出口
２０３  硬貨格納部
２０４  搬送部
２０４ａ，２０４ｂ  搬送ベルト
２０５  搬送路
２０６  シュート部
２０７  分離ローラ
２０８  搬送ベルト
【図１】
2015125607.tif 000003
【図２】
2015125607.tif 000004
【図３】
2015125607.tif 000005
【図４】
2015125607.tif 000006
【図５】
2015125607.tif 000007
【図６】
2015125607.tif 000008
【図７】
2015125607.tif 000009
【図８Ａ】
2015125607.tif 000010
【図８Ｂ】
2015125607.tif 000011
【図９Ａ】
2015125607.tif 000012
【図９Ｂ】
2015125607.tif 000013